(57)【特許請求の範囲】
【請求項１】
紙おむつ本体の背側部の両側縁部に設けられる止着部と、前記紙おむつ本体の腹側部に設けられ、前記止着部と着脱自在な被着部と、脚周りと、胴周りと、を有し、前記止着部が前記被着部に止着されて人体に取り付けられる紙おむつの止着構造において、
前記止着部は、前記紙おむつ本体の背側部の両側縁部のそれぞれに一つずつ配され、該止着部の基端部から該止着部の先端部にかけて幅が狭くなるように形成され、
前記基端部は、前記紙おむつ本体の前記胴周り側に固定された第１テープ部と、前記脚周り側に固定された第２テープ部と、に分岐した構造となっており、
前記先端部は、前記第１テープ部と前記第２テープ部とが重ねられた状態で固着されて形成されており、該固着された部分には、止着部材が設けられ、
前記第１テープ部は、前記紙おむつ本体の胴周りと略平行に形成され、
前記第２テープ部は、前記紙おむつ本体の脚周りから胴周りに向かって傾斜するように形成され、
前記第１テープ部は、第１弾性部材で形成され、
前記第２テープ部は、前記第１弾性部材よりも弾性率の大きい第２弾性部材で形成されていることを特徴とする紙おむつの止着構造。
【請求項２】
請求項１に記載の止着構造を備える紙おむつ。
【発明の詳細な説明】
【０００１】
【発明の属する技術分野】
本発明は、紙おむつに備えられる止着構造、および紙おむつに関する。
【０００２】
【従来の技術】
従来、図３に示すように、紙おむつ５０は、透液性シート５１ａと不透液性シート（図示略）との間に高吸収性ポリマーなどで形成された吸収体（図示略）を介装させて構成される紙おむつ本体５１と、紙おむつ本体５１を人体に装着させる際に使用する、止着テープ５６および被着テープ５８とからなる止着構造を備えて構成されている。
紙おむつ本体５１は、両側に脚周り部５２が形成され、脚周り部５２の間が股下部５３となっており、更に股下部５３を挟んだ一方の側が腹側部５４、他方が背側部５５となっている。この紙おむつ本体５１の腹側部５４の端部５４ａと、背側部５５の端部５５ａとは、装着時に装着者の胴周り部分となる。
【０００３】
紙おむつ５０装着時に使用される止着テープ５６，５６…は、図３のように、紙おむつ本体５１の背側部５５の側部５５ｂから突出するように設けられる。止着テープ５６，５６…の先端部には、例えば面ファスナーの一方の止着要素からなる止着部材５７が設けられる。一方、紙おむつ本体５１の腹側部５４には、止着部材５７，５７が着脱自在な被着テープ５８として、例えば面ファスナーの他方の止着要素等の被着部材が取り付けられる。
紙おむつ５０が装着される際には、人体の腰部で、紙おむつ本体５１の背側部５５の側部５５ｂと、腹側部５４の側部５４ｂとが、止着テープ５６，５６…と被着テープ５８とで固定される。
【０００４】
ところで、特に大人用の紙おむつ５０の場合には、装着時に、胴周り部分と脚周り部分とが、それぞれ弛みや窮屈さ等がなく固定されることが望ましい。そこで、止着テープ５６，５６...を、背側部５５の側部５５ｂ，５５ｂにおいて、胴周り部付近と、脚周り部５２近傍との２箇所、すなわち左右両側部に合計４本設けることにより、人体に適切に固定することができるようにしている。
【０００５】
【発明が解決しようとする課題】
しかし、このような紙おむつ５０では、人体への着脱作業において、４本の止着テープ５６，５６...を止着したり取り外したりしなければならず、大変手間が掛かってしまうという問題点があった。
【０００６】
本発明の課題は、より着脱作業が容易であって、且つ紙おむつを人体に好適に固定させることができる紙おむつの止着構造、および該止着構造を利用した紙おむつを提供することである。
【０００７】
【課題を解決するための手段】
以上の課題を解決するため、請求項１記載の発明は、例えば図１または図２に示すように、
紙おむつ本体（１）の背側部（３）の両側縁部（側縁部３２，３２）に設けられる止着部（止着テープ６）と、前記紙おむつ本体の腹側部（２）に設けられ、前記止着部と着脱自在な被着部（被着テープ８）と、脚周り（脚周り部５）と、胴周り（胴周り部９ａ，９ｂ）と、を有し、前記止着部が前記被着部に止着されて人体に取り付けられる紙おむつ（１０）の止着構造において、
前記止着部は、前記紙おむつ本体の背側部の両側縁部のそれぞれに一つずつ配され、該止着部の基端部から該止着部の先端部（６３）にかけて幅が狭くなるように形成され、
前記基端部は、前記紙おむつ本体の胴周り側に固定された第１テープ部（６１）と、前記脚周り側に固定された第２テープ部（６２）と、に分岐した構造となっており、
前記先端部、前記第１テープ部と前記第２テープ部とが重ねられた状態で固着されて形成されており、該固着された部分には、止着部材（７）が設けられ、
前記第１テープ部は、前記紙おむつ本体の胴周りと略平行に形成され、
前記第２テープ部は、前記紙おむつ本体の脚周りから胴周りに向かって傾斜するように形成され、
前記第１テープ部は、第１弾性部材で形成され、
前記第２テープ部は、前記第１弾性部材よりも弾性率の大きい第２弾性部材で形成されていることを特徴とする。
【０００８】
請求項１に記載の発明によれば、止着部は、紙おむつ本体の背側部の両側縁部のそれぞれに一つずつ配されるとともに、止着部の基端部は、紙おむつ本体の胴周り側と、脚周り側とに固定される。
従って、紙おむつを装着させる際、着用者の両脇腰部のそれぞれにおいて止着部を１箇所ずつ、合計２箇所止着させれば、紙おむつの胴周りと脚周りの固定を行うことができ、弛みや窮屈さ等を感じることなく紙おむつの装着作業を容易且つ確実に行うことができる。また、紙おむつを着用者から外す際も、止着部を２箇所外せば紙おむつの固定を解くことができ、作業が容易となる。
【００１０】
また、基端部から先端部にかけて幅が狭くなるよう形成されることによって、止着部の先端部が指先で摘み易くなるので、紙おむつの着脱作業がより一層容易となり好適である。さらに、止着部をより小さく形成することができるので、コストダウンが図れる。
また、止着部は、基端部が紙おむつ本体部の胴周り側に固定される第１テープ部と、基端部が紙おむつ本体の脚周り側に固定される第２テープ部とに分岐しているので、紙おむつの装着作業時に、紙おむつ本体の胴周りと脚周りとを別個に引っ張ることができるので、窮屈さ等を容易に調節することができる。
【００１２】
また、請求項１に記載の発明によれば、止着部の胴周り側に固定された第１テープ部が紙おむつ本体の胴周り部と略平行に形成されているので、紙おむつを人体に装着させた際、胴周りを形成する開口縁側を人体に好適に固定させることができる。また、止着部の脚周り側に固定された第２テープ部は、脚周りから胴周りに向かって傾斜するように形成されているので、装着時に紙おむつ本体を上方に引き上げるようにして止着部で固定することができる。
従って、紙おむつ本体の胴周りおよび脚周りをともに好適に固定させることができる。
また、請求項１に記載の発明によれば、紙おむつ本体の胴周りは、第１弾性部材で形成された第１テープ部によって弛みや窮屈さのない好適な状態で固定される一方、紙おむつの脚周りは、第１弾性部材よりも弾性率の大きい第２弾性部材で形成された第２テープ部で固定されることにより、着用者の脚の動きによって紙おむつの脚周り部が弛んだりずれたりすることを防ぐことができる。
【００１７】
請求項２に記載の発明は、請求項１に記載の止着構造を備える紙おむつ（１０）である。
【００１８】
請求項２に記載の発明によれば、紙おむつ本体の背側側縁部のそれぞれに設けられる止着部の合計２箇所を、紙おむつ本体腹側の被着部に対して止着させるだけで、紙おむつを人体に装着させることができ、また紙おむつの胴周りおよび脚周りを好適に固定させることができる。
従って、着脱作業が容易であるとともに、人体に好適に装着させることができる。
【００１９】
【発明の実施の形態】
以下、図を参照して本発明の実施の形態を説明する。図１は、本発明の一例としての紙おむつ１０の斜視図であって、図２は紙おむつ１０の展開図（使用時に人体に接触させる側を示す）である。
紙おむつ１０は、紙おむつ本体１と、止着テープ６，６（止着部）と、被着テープ８（被着部）とを備えている。
【００２０】
紙おむつ本体１は、人体との接触面側に設けられる透液性の不織布からなるトップシート１ａと、装着時に外部側に設けられる不透液性のバックシート１ｂと、トップシート１ａとバックシート１ｂとの間に介装される吸収体（図示略）とにより主に構成される。
紙おむつ本体１は、人体の股部を腹側から背側にかけて覆うように、一方の端部に腹側部２が形成され、他方の端部に背側部３が形成されている。また、腹側部２と背側部３との間が股下部４となっている。股下部４の両側方は内側に凹むように形成され、装着された際に着用者の脚周りを形成する脚周り部５，５となっている。背側部３の側縁部３２の股下部４側端部は、脚周りの一部を形成している。この側縁部３２における脚周りの位置を３２ｂとする。
【００２１】
紙おむつ本体１の腹側部２の端部２１と、背側部３の端部３１とは、紙おむつ１０が人体に装着された際に、胴周りを形成するようになっている。紙オムツ本体１において、着用者の胴周り（ウエスト）に略対応するラインを胴周り部（背側部３の胴周り部を９ａ、腹側部２側の胴周り部を９ｂ）とする。図２においては、胴周り部９ａ，９ｂはそれぞれ端部３１，２１に略沿う形状であるが、胴周り部９ａ，９ｂは紙オムツ本体１の端部の形状に拘らず、使用時の着用者の胴周りに略対応するラインを意味する。
【００２２】
止着テープ６，６は、紙おむつ本体１の背側部３の両側の側縁部３２，３２からそれぞれ側方に突出するように設けられる。止着テープ６，６は、第１テープ部６１と、第２テープ部６２と、止着部材７とにより構成されている。
【００２３】
第１テープ部６１は、ゴム等の弾性部材（第１弾性部材）で形成され、その基端部は紙おむつ本体１の背側部３の側縁部３２において、胴周り部９ａに略相当する位置３２ａ（紙おむつ本体の胴周りを形成する開口縁側）に固定されている。そして第１テープ部６１は、胴周り部９ａと略平行となるように、側方に向かって延出している。
【００２４】
一方、第２テープ部６２は、第１弾性部材よりも弾性率の大きい弾性部材（第２弾性部材）で形成され、その基端部は背側部３の側縁部３２において、略脚周りの位置３２ｂ（脚周り側）に固定されている。第２テープ部６２は、背側部３の胴周り部９ａに向かって傾斜しながら側方に延出しており、その先端部は第１テープ部６１の先端部まで達し、第１テープ部６１にホットメルト等のヒートシールで固着されている。このように第１テープ部６１と第２テープ部６２とが合流して形成される先端部６３は、指先で摘み易い程度の幅となっている。
止着テープ６，６は、このように第１テープ部６１と第２テープ部６２とで形成されることにより、基端部側が分岐した構成となっており、また基端部から先端部６３にかけて幅が狭くなる形状となっている。
【００２５】
第１テープ部６１と、第２テープ部６２とが固着されて形成された先端部６３には、止着部材７が設けられている。この止着部材７は、例えば面ファスナーの一方の係止要素や、粘着テープ等によって構成される。
【００２６】
また、紙おむつ本体１の腹側部２の外部側（前述のバックシート側）には、止着テープ６の止着部材７を着脱自在に止着させる被着部が備えられた被着テープ８が設けられている。被着部は、例えば、止着部材７が面ファスナーの一方の止着要素で形成される場合は、当該面ファスナーの他方の止着要素によって形成され、また止着部材７が粘着テープ等の場合は、該粘着テープが着脱自在なフィルム等で形成される。
これらの止着テープ６，６と、被着テープ８とにより、紙おむつ１０の止着構造が構成される。
【００２７】
紙おむつ１０は、股下部４を着用者の両脚の間に挟み、腹側部２と背側部３とを着用者の腹部と背部とにそれぞれ当てるようにして、止着テープ６，６の止着部材７，７を被着テープ８に止着させることにより、人体に装着される。
止着テープ６，６を被着テープ８に止着させると、紙おむつ本体１の胴周り部９ａは、第１テープ部６１によって引っ張られ、また紙おむつ本体１の脚周り部５，５は、第２テープ部６２によって胴周り部９ｂ方向に引き上げられ、止着部材７によって固定される。
【００２８】
従って、以上の紙おむつの止着構造によれば、紙おむつ本体１の２箇所に設けられている止着テープ６，６を止着させることで、紙おむつ本体１の胴周り部９ａ，９ｂと脚周り部５，５とを固定することができ、また２箇所の止着部材７，７の止着を外せば、紙おむつ１０を取り外すことができるので、紙おむつ１０の着脱作業を容易に行うことができる。
また、装着時、第１テープ部６１と第２テープ部６２の引っ張り具合を調整しながら止着テープ６を止着させれば、胴周り部９ａ，９ｂと脚周り部５，５の固定の窮屈さを調節しながら紙おむつ本体１を人体に固定できるので、紙おむつ１を好適に装着させることができる。
【００２９】
さらに、止着テープ６は、基端部から先端部６３にかけて第１テープ部６１と第２テープ部６２とによるテープ幅が狭くなるように形成されており、止着テープ６の先端部は指先で摘み易い程度の幅となっているので、紙おむつ１０の着脱作業はより一層容易となる。
加えて、第１テープ部６１が紙おむつ本体１の胴周り部９ａと略平行に形成され、また第２テープ部６２は、脚周り部５から胴周り部９ａ方向に傾斜するように側方に延出して形成されているので、紙おむつ１０の胴周り部を人体にフィットさせるとともに、脚周り部５，５を上方に引き上げるようにして紙おむつ本体１を固定できるので、脚周りの動きにも対応した固定ができ好適である。
【００３０】
また第１テープ部６１は第１弾性部材によって、また第２テープ部６２は第２弾性部材によって固定されるので、紙おむつ１０は、胴周り部が弛みやきつさのない好適な状態で固定できる一方、脚周り部分は、第１弾性部材よりも弾性率の大きい第２弾性部材で固定されるので、着用者の脚の動きによって紙おむつ１０の脚周り部５，５が弛んだりずれたりすることを防ぐことができる。
【００３１】
なお、本発明は、上記実施の形態に限定されるものではない。
例えば、止着テープは不織布等と弾性体（ゴム等）とを組み合わせて形成してもよい。
【００３７】
また止着テープを、面ファスナーや粘着テープ等の、止着部材自体で形成してもよい。さらに被着部は、被着テープの全体に設けてもよく、一部でもよい。
加えて、止着部材として面ファスナーを設け、紙オムツ本体のバックシートを面ファスナーが着脱自在な不織布等で形成すると、止着部材をバックシート上のいずれの位置でも止着可能にすることができる。このように形成すれば、止着の自由度が増し好適である。
また、この紙おむつの止着構造を、幼児用、大人用のいずれの紙おむつに設けてもよい。
【００３８】
【発明の効果】
請求項１に記載の発明によれば、止着部は、紙おむつ本体の背側部の両側縁部のそれぞれに一つずつ配されるとともに、止着部の基端部は、紙おむつ本体の胴周り側と、脚周り側とのそれぞれに固定される。
従って、紙おむつを装着させる際、着用者の両脇腰部のそれぞれにおいて止着部を１箇所ずつ、合計２箇所止着させれば、紙おむつの胴周りと脚周りの固定を行うことができ、弛みや窮屈さ等を感じることなく紙おむつの装着作業を容易且つ確実に行うことができる。また、紙おむつを着用者から外す際も、止着部を２箇所外せば紙おむつの固定を解くことができ、作業が容易となる。
【００３９】
また、止着部の基端部から先端部にかけて幅が狭くなるよう形成されることによって、先端部が指先で摘み易くなるので、紙おむつの着脱作業がより一層容易となり好適である。さらに、止着部をより小さく形成することができるので、コストダウンが図れる。
また、止着部は、基端部が紙おむつ本体部の胴周り側に固定される第１テープ部と、基端部が紙おむつ本体の脚周り側に固定される第２テープ部とに分岐しているので、紙おむつの装着作業時に、紙おむつ本体の胴周りと脚周りとを別個に引っ張ることができ、窮屈さ等を容易に調節することができる。
【００４０】
また、請求項１に記載の発明によれば、止着部の胴周り側に固定された第１テープ部が紙おむつ本体の胴周りと略平行に形成されているので、紙おむつを人体に装着させた際、胴周りを人体に好適に固定させることができる。また、止着部の脚周り側に固定された第２テープ部は、脚周り側から胴周り側に向かって傾斜するように形成されているので、装着時に紙おむつ本体を上方に引き上げるようにして止着部で固定することができる。
また、請求項１に記載の発明によれば、紙おむつ本体の胴周りは、第１弾性部材で形成された第１テープ部によって弛みや窮屈さのない好適な状態で固定される一方、紙おむつの脚周りは、第１弾性部材よりも弾性率の大きい第２弾性部材で形成された第２テープ部で固定されることにより、着用者の脚の動きによって紙おむつの脚周り部が弛んだりずれたりすることを防ぐことができる。
【００４３】
請求項２に記載の発明によれば、紙おむつ本体の背側側縁部のそれぞれに設けられる止着部の合計２箇所を、紙おむつ本体腹側の被着部に対して止着させるだけで、紙おむつを人体に装着させることができ、また紙おむつの胴周り部および脚周り部を好適に固定させることができる。
従って、着脱作業が容易であるとともに、人体に好適に装着させることができる。
【図面の簡単な説明】
【図１】本発明を適用した紙おむつの斜視図である。
【図２】図１の紙おむつの展開図である。
【図３】従来の紙おむつの展開図である。
【図１】
0003986298.tif 000002
【図２】
0003986298.tif 000003
【図３】
0003986298.tif 000004